(57)【要約】【課題】従来の問題を解決するもので、そのリードタイムを短縮することによりワークフローの改善を実現することができる映像伝送システムを提供する。【解決手段】符号化部１２、１３は、映像データから第１符号化データと第２符号化データとを生成して、映像データ受信装置３に送信する。再伝送リスト生成部２６は、第２符号化データの欠落部分を示す第２再伝送リストを生成し、映像データ送信装置２に送信する。送信側制御部１７は、第２再伝送リストに基づいて欠落部分の第２符号化データを送信する。編集部２７は、第２符号化データを用いて編集を行う。再伝送リスト生成部２６は、第１符号化データの欠落部分でかつ編集に必要なデータを示す第３再伝送リストを映像データ送信装置２に送信する。編集部２７は、映像データ送信装置２から欠落部分の第２符号化データを受信し、編集結果を第１符号化データに反映させる。【選択図】図１
2010212772.tif 000002
【特許請求の範囲】
【請求項１】
映像データが高解像度および低解像度の２系統で圧縮符号化された符号化データを映像データ受信装置に伝送する映像データ送信装置において、
前記映像データを入力する映像データ入力部と、
入力された前記映像データを符号化して第１符号化データを生成する第１符号化部と、
入力された前記映像データを前記第１符号化部よりも低解像度で符号化して第２符号化データを生成する第２符号化部と、
前記第１符号化データおよび前記第２符号化データを保存する第１記録媒体と、
前記第1符号化データを前記映像データ受信装置へ送信する第１通信部と、
前記第２符号化データを前記映像データ受信装置へ送信する第２通信部と、
各部を制御する送信側制御部とを備え、
前記送信側制御部は、前記映像データ受信装置からの再伝送要求に従って、前記第１記録媒体に記録されている前記第１符号化データの一部のデータ、または前記第２符号化データの一部のデータを前記映像データ受信装置へ再送信させることを特徴とする映像データ送信装置。
【請求項２】
前記再伝送される第１符号化データの一部は、前記映像データ受信装置で規定された再生対象区間内のデータのみである請求項１記載の映像データ送信装置。
【請求項３】
映像データ送信装置から伝送された符号化データを処理する映像データ受信装置において、
前記映像データ送信装置から送信されてくる第１符号化データを受信する第３通信部と、
前記映像データ送信装置から送信されてくる、前記第１符号化データより低解像度で符号化された第２符号化データを受信する第４通信部と、
前記第３通信部および前記第４通信部で受信された前記第１符号化データおよび前記第２符号化データを保存する第２記録媒体と、
前記第１符号化データおよび前記第２符号化データにおいて、それぞれ再伝送が必要な再伝送区間を検出し、前記再伝送区間を示す第１再伝送リストおよび第２再伝送リストを生成する再伝送リスト生成部と、
各部を制御する受信側制御部とを備え、
前記受信側制御部は、前記第３通信部または第４通信部に前記第２再伝送リストを前記映像データ送信装置に送信させ、
前記映像データ送信装置から再伝送された前記第２符号化データを受信させることを特徴とする映像データ受信装置。
【請求項４】
前記映像データ送信装置からの１度目の伝送により得られた前記第２符号化データ、および再伝送されて得られた前記第２符号化データを元に編集処理を行い、最終的な再生対象区間を示すプレイリストを生成する編集部を備え、
前記再伝送リスト生成部は、前記プレイリストおよび前記第１再伝送リストを元に、前記プレイリストの再生対象区間内で前記第１符号化データの再伝送が必要な区間を示すリストである第３再伝送リストを生成し、
前記受信側制御部は、前記第３通信部または前記第４通信部に前記第１再伝送リストに替えて、前記第３再伝送リストを前記映像データ送信装置へ送信させ、前記再伝送された第１符号化データを受信させ、
前記編集部は、前記プレイリストを元に、前記映像データ送信装置からの１度目の伝送により得られた前記第１符号化データ、および再伝送された第１符号化データを編集する請求項３記載の映像データ受信装置。
【請求項５】
請求項１に記載の映像データ送信装置と、
請求項４に記載の映像データ受信装置とを備え、
前記映像データ送信装置は、前記第３再生伝送リストに基づいて、前記第１符号化データの一部を再伝送する映像伝送システム。
【請求項６】
前記第１符号化データおよび前記第２符号化データに対して編集作業で用いられる可能性のある編集対象区間と可能性の無い編集非対象区間とを示すＴＣスタンプ情報を入力するための第１ＴＣスタンプ入力部と、
前記ＴＣスタンプ情報を用いて前記編集対象区間と前記編集非対象区間とを示す第１編集対象リストを生成する第１編集対象リスト生成部とを備え、
前記送信側制御部は、前記第１通信部または前記第２通信部に前記第１編集対象リストを前記映像データ受信装置へ送信させる請求項１記載の映像データ送信装置。
【請求項７】
請求項６記載の映像データ送信装置と、
請求項３または４に記載の映像データ受信装置とを備えた映像伝送システムにおいて、
前記再伝送リスト生成部は、前記第２再伝送リストの再伝送区間でかつ、前記第１編集対象リストの編集作業で用いられる可能性のある区間を示す第４再伝送リストを生成し、
前記受信側制御部は、前記第３通信部または前記第４通信部に前記第４再伝送リストを前記映像データ送信装置へ送信させ、
前記送信側制御部は、前記第４再伝送リストに基づいて、前記第２通信部に前記第２符号化データの一部を前記映像データ受信装置へ伝送させることを特徴とする映像伝送システム。
【請求項８】
前記第１符号化データおよび前記第２符号化データに対して編集作業で用いられる可能性のある編集対象区間と可能性の無い編集非対象区間とを示すＴＣスタンプ情報を入力するための第２ＴＣスタンプ入力部と、
前記ＴＣスタンプ情報を用いて前記編集対象区間と前記編集非対象区間とを示す第２編集対象リストを生成する第２編集対象リスト生成部とを備え、
前記再伝送リスト生成部は、前記第２編集対象リストを参照して、前記第２再伝送リストを作成し、
前記送信側制御部は、前記第１通信部または前記第２通信部に前記第２再伝送リストを前記映像データ装置へ送信させる請求項３または４に記載の映像データ受信装置。
【請求項９】
前記受信側制御部は、
撮影時に前記送信装置から送信された前記第１符号化データと、再伝送された前記第１符号化データとを別ファイルとして前記第２記録媒体に保存させ、
前記第１符号化データそれぞれのファイルをタイムライン上でつなぎ合わせて再生するためのプレイリストを作成する請求項３または４に記載の映像データ受信装置。
【請求項１０】
前記受信側制御部は、
撮影時に前記送信装置から送信された前記第２符号化データと、再伝送された前記第２符号化データとを別ファイルとして前記第２記録媒体に保存させ、
前記第２符号化データそれぞれのファイルをタイムライン上でつなぎ合わせて再生するためのプレイリストを作成する請求項３または４に記載の映像データ受信装置。
【請求項１１】
前記第３通信部および前記第４通信部から前記第１符号化データおよび前記第２符号化データを受信して前記第２記録媒体に保存する際に、前記編集部は、あらかじめ前記第２記録媒体に保存されている前記第２符号化データの編集作業を実行可能である請求項３記載の映像データ受信装置。
【発明の詳細な説明】
【技術分野】
【０００１】
本発明は、放送・業務用ビデオカメラ等のような高品質の映像・音声データを記録する装置に関し、特に、報道番組などの速報性を要する放送用映像データを記録しながら、同じ内容の映像・音声データをネットワーク経由で遠隔地にある編集装置にリアルタイム送信する放送・業務用ビデオカメラ等の映像伝送システムに関する。
【背景技術】
【０００２】
近年、携帯電話やWiMAX（Worldwide Interoperability for Microwave Access）などの無線ネットワーク技術が急速に普及している。このような無線ネットワークを使用して、ビデオカメラで撮影された映像・音声データを遠隔地にリアルタイムで伝送するようなシステムが考案されている。
【０００３】
例えば、特許文献１には、以下のような技術が記載されている。ビデオカメラで撮影された映像・音声データから高解像度のデータと低解像度のデータとが作成され、高解像度の映像・音声データおよび低解像度の映像・音声データがビデオカメラ内の記録メディアに保存される。同時に、低解像度の映像・音声データがリアルタイムでサーバ（放送局等）に伝送され、サーバ側で受信された低解像度の映像・音声データを用いて編集作業が行われる。編集結果は、撮影元であるビデオカメラ側に送信され、編集結果に基づいて高解像度の映像・音声データが編集される。
【０００４】
このようにして、編集作業と撮影が並行して行われる。
【０００５】
また、特許文献２には、以下の技術が記載されている。ビデオカメラで撮影された映像・音声データから高解像度のデータと低解像度のデータとが作成される。作成された高解像度の映像・音声データおよび低解像度の映像・音声データが上位階層のネットワークを介してローカルサーバに配信される。そして、受信側において、下位階層のネットワークを介して高解像度の映像・音声データまたは低解像度の映像・音声データのどちらか一方が選択的に受信される。
【０００６】
この構成により、下位階層のネットワークには、高解像度の映像・音声データまたは低解像度の低解像度の映像・音声データの一方のみが伝送され、下位階層のネットワークの容量を越える量のデータが流れることを防止することができる。
【特許文献１】国際公開第０１／０６００６２号
【特許文献２】特開２００８−１９９６７７号公報
【発明の開示】
【発明が解決しようとする課題】
【０００７】
しかし、上述したような技術を用いても、次から次へと新規の映像・音声データを収録する必要のある取材現場において、リアルタイムに映像・音声データを編集し、オンエア可能な完全パッケージデータをサーバ側に迅速に準備することは困難である。なお、完全パッケージとは、編集後の高解像度の映像・音声データのことである。
【０００８】
また、報道番組などの速報性を要するワークフローにおいては、映像・音声データの収録から編集、オンエアまでのリードタイムをいかにして短縮できるかが求められている。
【０００９】
本発明は、従来の問題を解決するもので、そのリードタイムを短縮することによりワークフローの改善を実現することができる映像伝送システムを提供することを目的とする。
【課題を解決するための手段】
【００１０】
本発明の映像データ送信装置は、映像データが高解像度および低解像度の２系統で圧縮符号化された符号化データを映像データ受信装置に伝送する。上記課題を解決するために、前記映像データを入力する映像データ入力部と、入力された前記映像データを符号化して第１符号化データを生成する第１符号化部と、入力された前記映像データを前記第１符号化部よりも低解像度で符号化して第２符号化データを生成する第２符号化部と、前記第１符号化データおよび前記第２符号化データを保存する第１記録媒体と、前記第1符号化データを前記映像データ受信装置へ送信する第１通信部と、前記第２符号化データを前記映像データ受信装置へ送信する第２通信部と、各部を制御する送信側制御部とを備え、前記送信側制御部は、前記映像データ受信装置からの再伝送要求に従って、前記第１記録媒体に記録されている前記第１符号化データの一部のデータ、または前記第２符号化データの一部のデータを前記映像データ受信装置へ再送信させることを特徴とする。
【００１１】
また、本発明の映像データ受信装置は、映像データ送信装置から伝送された符号化データを処理する。上記課題を解決するために、前記映像データ送信装置から送信されてくる第１符号化データを受信する第３通信部と、前記映像データ送信装置から送信されてくる、前記第１符号化データより低解像度で符号化された第２符号化データを受信する第４通信部と、前記第３通信部および前記第４通信部で受信された前記第１符号化データおよび前記第２符号化データを保存する第２記録媒体と、前記第１符号化データおよび前記第２符号化データにおいて、それぞれ再伝送が必要な再伝送区間を検出し、前記再伝送区間を示す第１再伝送リストおよび第２再伝送リストを生成する再伝送リスト生成部と、各部を制御する受信側制御部とを備え、前記受信側制御部は、前記第３通信部または第４通信部に前記第２再伝送リストを前記映像データ送信装置に送信させ、前記映像データ送信装置から再伝送された前記第２符号化データを受信させることを特徴とする。
【００１２】
また、前記映像データ送信装置からの１度目の伝送により得られた前記第２符号化データ、および再伝送されて得られた前記第２符号化データを元に編集処理を行い、最終的な再生対象区間を示すプレイリストを生成する編集部を備え、前記再伝送リスト生成部は、前記プレイリストおよび前記第１再伝送リストを元に、前記プレイリストの再生対象区間内で前記第１符号化データの再伝送が必要な区間を示すリストである第３再伝送リストを生成し、前記受信側制御部は、前記第３通信部または前記第４通信部に前記第１再伝送リストに替えて、前記第３再伝送リストを前記映像データ送信装置へ送信させ、前記再伝送された第１符号化データを受信させ、前記編集部は、前記プレイリストを元に、前記映像データ送信装置からの１度目の伝送により得られた前記第１符号化データ、および再伝送された第１符号化データを編集する構成にすることもできる。
【００１３】
また、本発明の映像伝送システムは、上記の映像データ送信装置と、上記の映像データ受信装置とを備え、前記映像データ送信装置は、前記第３再生伝送リストに基づいて、前記第１符号化データの一部を再伝送することを特徴とする。
【発明の効果】
【００１４】
本発明の映像伝送システムによれば、撮影中に伝送路の帯域不足等により伝送データに欠落があった場合、撮影後に第２符号化データ（低解像度データ）の欠落データのみを再伝送する。
【００１５】
このように、撮影直後に再伝送するデータを、第２符号化データの欠落データのみとすることにより、カメラマンは再伝送後にすぐに次の撮影を行うことが可能となると共に、受信装置側では第２符号化データを用いて編集作業を開始できる。つまり、撮影後にカメラマンと編集者が並行して作業を行うことが可能となり、作業効率が上がる。
【００１６】
また、編集作業終了後、完全パッケージのプレイリスト区間（オンエアで再生対象となる区間）の第１符号化データ（高解像度データ）の中で欠落していた区間のデータのみを再伝送を行う。この時、撮影中に該当区間のデータ欠落がなかった場合には再伝送が不要であり、欠落があった場合でも必要最低限のデータのみの再伝送を行うことにより、映像データ受信装置側にオンエア対象の再生データの準備が可能となる。
【００１７】
よって、本発明の伝送装置により、収録から編集、オンエアまでのリードタイムを短縮することができ、速報性を要する報道ワークフローが改善される。
【発明を実施するための最良の形態】
【００１８】
本発明の映像データ送信装置、映像データ受信装置および映像伝送システムは、上記構成を基本とし、種々の態様をとることができる。すなわち、上記映像データ送信装置において、前記再伝送される第１符号化データの一部は、前記映像データ受信装置で規定された再生対象区間内のデータのみである構成にすることができる。
【００１９】
また、前記第１符号化データおよび前記第２符号化データに対して編集作業で用いられる可能性のある編集対象区間と可能性の無い編集非対象区間とを示すＴＣスタンプ情報を入力するための第１ＴＣスタンプ入力部と、前記ＴＣスタンプ情報を用いて前記編集対象区間と前記編集非対象区間とを示す第１編集対象リストを生成する第１編集対象リスト生成部とを備え、前記送信側制御部は、前記第１通信部または前記第２通信部に前記第１編集対象リストを前記映像データ受信装置へ送信させる構成にすることができる。
【００２０】
また、上記映像データ受信装置において、前記第１符号化データおよび前記第２符号化データに対して編集作業で用いられる可能性のある編集対象区間と可能性の無い編集非対象区間とを示すＴＣスタンプ情報を入力するための第２ＴＣスタンプ入力部と、前記ＴＣスタンプ情報を用いて前記編集対象区間と前記編集非対象区間とを示す第２編集対象リストを生成する第２編集対象リスト生成部とを備え、前記再伝送リスト生成部は、前記第２編集対象リストを参照して、前記第２再伝送リストを作成し、前記送信側制御部は、前記第１通信部または前記第２通信部に前記第２再伝送リストを前記映像データ装置へ送信させる構成にすることができる。
【００２１】
また、前記受信側制御部は、撮影時に前記送信装置から送信された前記第１符号化データと、再伝送された前記第１符号化データとを別ファイルとして前記第２記録媒体に保存させ、前記第１符号化データそれぞれのファイルをタイムライン上でつなぎ合わせて再生するためのプレイリストを作成する構成にすることができる。
【００２２】
さらに、前記受信側制御部は、撮影時に前記送信装置から送信された前記第２符号化データと、再伝送された前記第２符号化データとを別ファイルとして前記第２記録媒体に保存させ、前記第２符号化データそれぞれのファイルをタイムライン上でつなぎ合わせて再生するためのプレイリストを作成する構成にすることができる。
【００２３】
また、前記第３通信部および前記第４通信部から前記第１符号化データおよび前記第２符号化データを受信して前記第２記録媒体に保存する際に、前記編集部は、あらかじめ前記第２記録媒体に保存されている前記第２符号化データの編集作業を実行可能である構成にすることができる。
【００２４】
また、映像伝送システムにおいて、上記の映像データ送信装置と、上記の映像データ受信装置とを備える。前記再伝送リスト生成部は、前記第２再伝送リストの再伝送区間でかつ、前記第１編集対象リストの編集作業で用いられる可能性のある区間を示す第４再伝送リストを生成し、前記受信側制御部は、前記第２通信部に前記第４再伝送リストを前記映像データ送信装置へ送信させ、前記送信側制御部は、前記第４再伝送リストに基づいて、前記第１通信部に前記第２符号化データの一部を前記映像データ受信装置へ伝送させる構成にすることができる。
【００２５】
以下、図面を参照しながら本発明の実施の形態について説明する。
【００２６】
（実施の形態１）
図１は、本発明の実施の形態１に係る映像データ送信装置２および映像データ受信装置３を有する映像伝送システム１の構成を示すブロック図である。映像データ送信装置２の例としてカメラがある。映像データ受信装置３の例としては、画像データサーバ、あるいは画像編集装置がある。
【００２７】
まず、映像データ送信装置２の構成について説明する。映像データ送信装置２は、映像データ入力部１１、第１符号化部１２、第２符号化部１３、第１記録媒体１４、第１通信部１５、第２通信部１６および送信側制御部１７を有している。
【００２８】
映像データ入力部１１は、ＣＣＤ（Charge Coupled Device）等を有し、光学像を光電変換して映像データを生成する。第１符号化部１２は、映像データ入力部１１、第１記録媒体１４および第１通信部１５に接続され、映像データを高レートデータに符号化する。第２符号化部１３は、映像データ入力部１１、第１記録媒体１４および第２通信部１６に接続され、映像データを、第１符号化部１２により符号化される高レートデータよりも、情報量の小さく低画質の低レートデータに符号化する。
【００２９】
なお、第１符号化部１２および第２符号化部１３で実行される符号化の方式は、例えばＭＰＥＧやＨ．２６４、ＤＶ、ＤＶＣＰＲＯ、ＨＤＶ等を用いることができるが、その符号化方式は任意でよい。ただし、第１符号化部１２で符号化された符号化データは、第２符号化部１３で符号化されたデータに比べて高画質・高ビットレートである必要がある。また、第１符号化部１２および第２符号化部１３は、圧縮符号化を行わずに、非圧縮データを出力してもよい。ただし、両者ともに非圧縮データを出力した場合も、第１符号化部１２の出力データは、第２符号化部１３の出力データに比べて高画質・高ビットレートである必要がある。
【００３０】
第１記録媒体１４は、高レートデータおよび低レートデータを保存する。なお、第１記録媒体１４は、半導体メモリやＨＤＤ（Hard disc Drive）、ＤＶＤ（Digital Versatile Disc）、ＢＤ（Blu-ray Disc）等のランダムアクセス可能な記録媒体であり、その種類は問わない。
【００３１】
第１通信部１５は、高レートデータを映像データ受信装置３に送信する。第２通信部１６は、低レートデータを映像データ受信装置３に送信する。送信側制御部１７は、映像データ送信装置２の各部を制御、例えば、第１記録媒体１４に対する高レートデータおよび低レートデータの書き込み、読み出し制御を行う。
【００３２】
次に、映像データ受信装置３の構成について説明する。映像データ受信装置３は、第３通信部２１、第４通信部２２、第２記録媒体２３、復号部２４、モニタ２５、再伝送リスト生成部２６、編集部２７および受信側制御部２８を有する。
【００３３】
第３通信部２１は、第１通信部１５からの高レートデータを受信可能である。第４通信部２２は、第２通信部１６からの低レートデータを受信可能である。なお、第１〜第４通信部１５、１６、２１、２２は、ネットワーク等の伝送路を経由して伝送を行うことができれば、その伝送手段は問わない。
【００３４】
第２記録媒体２３は、第３通信部２１および第４通信部２２に接続され、高レートデータおよび低レートデータを保存する。なお、第２記録媒体２３は、第１記録媒体１４と同様に、半導体メモリやＨＤＤ、ＤＶＤ、ＢＤ等のランダムアクセス可能な記録媒体であり、その種類は問わない。復号部２４は、高レートデータまたは低レートデータを映像データに復号し、画像としてモニタ２５にリアルタイム表示させる。
【００３５】
再伝送リスト生成部２６は、映像データ送信装置２から受信した高レートデータおよび低レートデータに欠落部分の有無を判断し、再伝送されるべき欠落部分を示す再伝送リストを生成する。編集部２７は、ユーザからの指示に基づいて、低レートデータに対するカット編集等の編集を行い、編集結果を示すプレイリストを生成する。受信側制御部２８は、映像データ受信装置３の各部を制御、例えば伝送リストに基づいて、映像データ送信装置２に再伝送リストを伝送させる。
【００３６】
次に、本実施の形態に係る映像伝送システム１の動作について説明する。図２は、映像伝送システム１の動作を、映像データ送信装置２と映像データ受信装置３の動作に分けて示す流れ図であり、収録工程および編集工程を有する。
【００３７】
最初に、撮影されたデータを映像データ受信装置３へ伝送する一連の処理（収録工程）について説明する。まず、符号化処理（ステップＳ１０１）において、第１符号化部１２および第２符号化部１３により、映像データ入力部１１から入力された映像データが、それぞれ高レートデータおよび低レートデータに符号化される。
【００３８】
次に、高／低レートデータ保存処理（ステップＳ１０２）において、第１符号化部１２および第２符号化部１３により符号化された高レートデータおよび低レートデータは、第１記録媒体１４に保存される。なお、第１符号化部１２で符号化された高レートデータと、第２符号化部１３で符号化された低レートデータとは、それぞれ図示しない別々の記録媒体に分けて保存されてもよい。
【００３９】
また、ステップＳ１０２の処理と同時に、リアルタイム高／低レートデータ伝送処理（ステップＳ１０３）において、それぞれのデータは、第１通信部１５および第２通信部１６からネットワーク等の伝送路経由で映像データ受信装置３にリアルタイムに送信される。
【００４０】
高／低レートデータ保存処理（ステップＳ１０４）以降は、映像データ受信装置３において、実行される。映像データ受信装置３において、映像データ送信装置２から送信されてきた高レートデータおよび低レートデータは、それぞれ受信される。具体的には、第１通信部１５から送信された高レートデータは第３通信部２１で受信され、第２通信部１６から送信された低レートデータは第４通信部２２で受信される。受信された高レートデータおよび低レートデータは、第２記録媒体２３に保存される（ステップＳ１０４）。
【００４１】
この時、伝送路上での帯域不足等により、受信した高レートデータおよび低レートデータの一部が欠落していた場合には、受信できたデータのみが第２記録媒体２３に保存される。なお、受信した高レートデータおよび低レートデータは、それぞれ図指しない別々の記録媒体に分けて保存されてもよい。
【００４２】
また、ステップＳ１０４の処理と同時に、モニタリング処理（ステップＳ１０５）において、復号部２４により、受信された低レートデータが復号され、復号された低レートデータがモニタ２５に映像としてリアルタイムに表示される。
【００４３】
なお、モニタ２５に出力される映像は、低レートデータではなく、復号部２４により復号された高レートデータを用いたものであってもよい。また、通常は高レートデータを用いた映像がモニタ２５に出力され、高レートデータが伝送の過程で欠落した区間のみ低レートデータを用いた映像がモニタ２５に出力されるようにしてもよい。なお、高レートデータおよび低レートデータの両者が欠落した時は、最後に復号できた映像フレームのSTILL画像（静止画像）が表示されるようにしてもよい。
【００４４】
次に、高／低レート再伝送リスト生成処理（ステップＳ１０６）において、受信側制御部２８により、受信した高レートデータおよび低レートデータに欠落があるか否かが検出される。
【００４５】
図３Ａは、映像データ受信装置３が受信した高レートデータの時間に対する受信時のビットレートを示す図である。図４Ａは、映像データ受信装置３が受信した低レートデータの時間に対する受信時のビットレートを示す図である。図３ＡにおけるビットレートＢ１、および図４ＡにおけるビットレートＢ２は、データの欠落無しにデータが受信されていることを示す。ビットレートが０の場合は、その時間に対応するデータが欠落していることを示す。
【００４６】
ここで、ｔ１〜ｔ６およびｔ２´〜ｔ５´は、高レートデータまた低レートデータの時間軸を示すタイムライン情報である。タイムライン情報としては、例えば、タイムコード、時刻情報、映像フレームのオフセット値等が考えられるが、映像データのタイムラインを示すことができる情報であればその種類は任意でよい。
【００４７】
すなわち、図３Ａにおいて、時刻ｔ１〜ｔ２のＬ１区間、時刻ｔ３〜ｔ４のＬ３区間および時刻ｔ５〜ｔ６のＬ５区間は、高レートデータが伝送されたことを示す。一方、時刻ｔ２〜ｔ３のＬ２区間および時刻ｔ４〜ｔ５のＬ４区間は、高レートデータが伝送されていないことを示す。同様に、図４Ａにおいて、時刻ｔ１〜ｔ２´のＭ１区間、時刻ｔ３´〜ｔ４´のＭ３区間および時刻ｔ５´〜ｔ６のＭ５区間は、低レートデータが伝送されたことを示す。一方、時刻ｔ２´〜ｔ３´のＭ２区間および時刻ｔ４´〜ｔ５´のＭ４区間は、低レートデータが伝送されていないことを示す。
【００４８】
データに欠落がある場合には、再伝送リスト生成部２６により、欠落があるデータの種類に応じて、図３Ｂに示す第１高レート再伝送リスト３１あるいは図４Ｂに示す第１低レート再伝送リスト３２が生成され、これらのリストが第２記録媒体２３に保存される。なお、生成された第１高レート再伝送リスト３１および第１低レート再伝送リスト３２は、第２記録媒体２３以外の別の記録媒体、すなわち高レートデータおよび低レートデータが保存された記録媒体以外の図指しない記録媒体に保存されてもよい。
【００４９】
第１高レート再伝送リスト３１は、区間名と、区間開始時刻と、区間終了時刻と、再伝送の要否を示す情報が記録されたレコードからなる。図３Ａに示したように、区間Ｌ２および区間Ｌ４におけるデータ欠落しているので、図３Ｂにおける区間Ｌ２および区間Ｌ４のそれぞれのレコードには、再伝送要のフラグが立てられている。図４Ｂについても同様である。なお、第１高レート再伝送リスト３１および第１低レート再伝送リスト３２は、図３Ｂおよび図４Ｂに示すようなリスト構成でなくてもよく、欠落した区間、すなわち再伝送が必要な区間が分かるような構成であれば任意の構成、任意の形式でよい。
【００５０】
以上の工程により、収録工程が終了する。収録工程の次に編集工程が行われる。
【００５１】
以下、撮影終了後の処理（編集工程）について説明する。図５は、図１のブロック図に、編集工程の処理の流れをも併せて示す図である。なお、編集処理において用いない第１符号化部１２および第２符号化部１３の図示を省略している。
【００５２】
まず、図２に示す低レート再伝送リスト伝送処理（ステップＳ１０７）において、第１低レート再伝送リスト３２（図４Ｂ）が第４通信部２２から映像データ送信装置２に送信される。映像データ送信装置２では、映像データ受信装置３から伝送されてきた第１低レート再伝送リスト３２が、第２通信部１６から受信され、送信側制御部により、第１記録媒体１４に保存される。
【００５３】
この時、第１低レート再伝送リスト３２が伝送される伝送経路は、第４通信部２２および第２通信部１６を経由した経路である必要はなく、第３通信部２１および第１通信部１５を経由した経路であってもよい。また、第１低レート再伝送リスト３２は、第１記録媒体１４とは別の記録媒体、すなわち高レートデータおよび低レートデータを保存した記録媒体以外の図指しない記録媒体に保存されてもよい。
【００５４】
次に、映像データ送信装置２により、低レートデータ再伝送処理（ステップＳ１０８）が実行される。ステップＳ１０８において、送信側制御部１７により、受信された第１低レート再伝送リスト３２が参照され、撮影中に第１記録媒体１４に保存された低レートデータの中から、再伝送が必要な区間の低レートデータのみが検出される。そして、検出された低レートデータのみが第２通信部１６から映像データ受信装置３に送信される。
【００５５】
次に、低レートデータ記録処理（ステップＳ１０９）において、映像データ受信装置３で、再伝送されてきた低レートデータが第４通信部２２により受信され、第２記録媒体２３に保存される。この時、撮影中に第２記録媒体２３に保存された低レートデータに対して、再伝送により伝送されてきた低レートデータがマージされることにより、欠落のない全区間再生可能な低レートデータが第２記録媒体２３に保存されることになる。
【００５６】
なお、撮影終了直後に映像データ受信装置３側で完成された第１低レート再伝送リスト３２において、再伝送が必要な低レートデータが存在しない場合、すなわち、撮影中に低レートデータの伝送路での欠落が発生しなかった場合には、低レートデータの再伝送処理は不要である。この場合、撮影中に第２記録媒体２３に保存された低レートデータが全区間再生可能な低レートデータとなり得る。すなわち、この場合は、ステップＳ１０７〜Ｓ１０９の一連の再伝送処理は不要となる。
【００５７】
次に、編集処理（ステップＳ１１０）において、全区間再生可能な低レートデータを用いて、編集部２７により、カット編集等の編集作業が行われる。この時、必要に応じて第２記録媒体２３に保存されている低レートデータの映像を、復号部２４を用いてモニタ２５に出力しながら編集作業が行われる。ここで、編集とはオンエアで使用するデータを決めることである。図６Ａは、低レートデータが編集された結果を示す図である。図６Ａにおいて、横軸は時刻を示している。図６Ａは、編集処理により、時刻ｔ１〜ｔ６の間における低レートデータのうち時刻Ｔ２〜Ｔ３の区間Ｎ１、時刻Ｔ４〜Ｔ５の区間Ｎ２、時刻Ｔ６〜ｔ６の区間Ｎ３のデータが取り出されて結合されたものであることを示している。
【００５８】
次に、プレイリスト生成処理（ステップＳ１１１）において、編集部２７によりその編集結果が図６Ｂに示すプレイリスト３３として第２記録媒体２３に保存される。プレイリスト３３は、区間名と、区間開始時刻と、区間終了時刻とが記録されたレコードからなる。
【００５９】
次に、高レート再伝送リスト生成処理（ステップＳ１１２）において、再伝送リスト生成部２６により、プレイリスト３３および第１高レート再伝送リスト３１から、第２高レート再伝送リスト３４が生成される。すなわち、再伝送リスト生成部２６により、プレイリスト３３と、第１高レート再伝送リスト３１とが比較され、プレイリストに示された区間内において高レートデータに欠落部分があるか否かが検出される。欠落部分がある区間にはフラグが立てられて、図７Ｂに示す第２高レート再伝送リスト３４が生成される。
【００６０】
ここで、第２高レート再伝送リスト３４とは、プレイリストに示された区間内において、データの欠落により再伝送が必要な高レートデータを示すリストである。生成された第２高レート再伝送リスト３４は、第２記録媒体２３に保存される。
【００６１】
ここで、第２高レート再伝送リスト３４の具体的な生成方法について、図６Ｂ、図７Ａ、および図７Ｂを参照しながら説明する。図７Ａ（ａ）は図６Ａに示す図に対応した図であり、図７Ａ（ｂ）は図６Ａに対応付けられた図３Ａに対応する図である。
【００６２】
図７Ａにおいて破線で示すように、区間Ｎ１においては、高レートデータの全てが欠落しているため、受信側制御部２８により、この区間（区間Ｐ２：時刻Ｔ２〜Ｔ３）を再伝送区間として第２高レート再伝送リスト３４に再伝送要のフラグが立てられる。
【００６３】
区間Ｎ２においては、受信側制御部２８により、この区間の高レートデータが欠落していないため、この区間（区間Ｐ３の一部：時刻Ｔ４〜Ｔ５）に関して、第２高レート再伝送リスト３４に再伝送要のフラグは立てられない。
【００６４】
区間Ｎ３においては、受信側制御部２８により、区間内に高レートデータが欠落している区間と欠落していない区間とが混在している。この場合には、受信側制御部２８により、欠落している区間（区間Ｐ４：時刻Ｔ６〜ｔ５）のみを再伝送区間として第２高レート再伝送リスト３４に再伝送要のフラグが立てられる。
【００６５】
以上のような手法で第２高レート再伝送リスト３４が作成されることにより、プレイリスト３３に必要な最低限の高レートデータのみを再伝送要として、第２高レート再伝送リスト３４に記録されることが可能となる。
【００６６】
次に、高レート再伝送リスト伝送処理（ステップＳ１１３）において、生成された第２高レート再伝送リスト３４が受信側制御部２８により、第４通信部２２から映像データ送信装置２に送信される。映像データ送信装置２において、映像データ受信装置３から伝送されてきた第２高レート再伝送リスト３４は、第２通信部１６により受信され、送信側制御部１７により、第１記録媒体１４に保存される。なお、第２高レート再伝送リスト３４の伝送経路は、第４通信部２２および第２通信部１６を経由した経路である必要はなく、第３通信部２１および第１通信部１５を経由した経路であってもよい。
【００６７】
次に、映像データ送信装置２において、高レートデータ再伝送処理（ステップＳ１１４）が行われる。送信側制御部１７により、第２高レート再伝送リスト３４に従って、撮影中に第１記録媒体１４に保存された高レートデータの中から、再伝送が必要な区間のデータのみが抽出され、第１通信部１５から映像データ受信装置３に送信される。
【００６８】
次に、映像データ受信装置３において、高レートデータ保存処理（ステップＳ１１５）が実行される。再伝送されてきた高レートデータは、第３通信部２１により受信され、受信側制御部２８により第２記録媒体２３に保存される。この時、撮影中に既に保存された高レートデータに対して、再伝送により伝送されてきた高レートデータをマージすることにより、プレイリスト３３で示されている全区間の再生が可能な高レートデータが第２記録媒体２３に保存されることになる。
【００６９】
次に、レンダリング処理（ステップＳ１１６）において、編集部２７により、プレイリスト３３に基づいて、高レートデータに対して、レンダリング処理が行われる。レンダリング処理とは、編集済のプレイリストに従って再生する映像データをコピーして１つの映像コンテンツを作成することである。なお、このレンダリングの手段については任意でよい。
【００７０】
以上の処理によって、オンエア可能な映像データ（完全パッケージ）が完成する。そして、後の工程で完全パッケージがオンエアされる。なお、オンエアは必ずしも映像伝送システム１で行われる必要はない。
【００７１】
高レートデータの再伝送処理は、ビットレートが高いため、限られた伝送帯域での再伝送は時間がかかる場合が多く、従来のように撮影した全データまたは欠落した全データを再伝送した場合には無駄なデータ伝送が発生してしまい、効率が悪くなってしまう。
【００７２】
しかし、本実施の形態に係る映像伝送システム１を用いることにより、再伝送する高レートデータは最低限のデータ（オンエアに必要な区間かつ欠落した区間）のみであるので、最短の伝送時間で再伝送が可能となる。このため、収録、編集、オンエアのワークフローにおいて、ネットワーク伝送を駆使した効率的なワークフローを実現できる。
【００７３】
なお、本実施の形態では、ステップＳ１０６において、データに欠落がある場合に高レート再伝送リスト３１あるいは、第１低レート再伝送リスト３２が生成される場合について説明した。しかし、以下のようにすることもできる。すなわち、ステップＳ１０６においては、データに欠落が無い場合でも再伝送リスト３１、３２を生成する。次に、ステップＳ１０７において、受信側制御部２８により第１低レート再伝送リスト３２が参照され、再伝送が必要な低レートデータが存在する場合、すなわち、低レートデータの伝送路において欠落が発生していた場合に、第１低レート再伝送リスト３２が第４通信部２２から映像データ送信装置２に送信されるようにしてもよい。
【００７４】
（実施の形態２）
実施の形態１では、映像データ受信装置３に送信された低レートデータに欠落が生じた場合に、欠落部分の低レートデータを全て再伝送する場合について説明した。本実施の形態は、欠落部分の低レートデータのうち一部のデータのみを再伝送する場合について説明する。
【００７５】
図８は、本実施の形態に係る映像伝送システム１ｂの構成を示すブロック図である。本実施の形態に係る映像伝送システム１ｂは、実施の形態１における映像データ送信装置２に第１ＴＣスタンプ入力部１８および第１編集対象リスト生成部１９を備えた映像データ送信装置２ｂを有する。本実施の形態に係る映像伝送システム１ｂにおいて、実施の形態１に係る映像伝送システム１と同一の構成要素については、同一の符号を付して説明を省略する。
【００７６】
第１ＴＣスタンプ入力部１８は、操作者（カメラマン）からの指示に基づいて、ＴＣスタンプ情報を入力する。ここで、ＴＣスタンプ情報とは、映像データの時間軸上の任意のフレーム映像に対して付加することのできるマーク情報のことである。ＴＣスタンプ情報は、一般的にその運用形態に応じて様々な用途で用いられるが、本実施の形態においては、編集対象とする区間（オンエアで使用する可能性のある区間）と明らかに編集対象としない区間（オンエアで使用する可能性のない区間）の境界点を示す情報として用いる。
【００７７】
第１編集対象リスト生成部１９は、ＴＣスタンプ情報を用いて、撮影された高レートデータおよび低レートデータが編集の対象となるか否かを示す編集対象リストを生成する。
【００７８】
以下、本実施の形態に係る映像伝送システム１ｂの動作について、特に図２に示された実施の形態１における動作と異なる点について説明する。
【００７９】
まず、撮影中にＴＣスタンプ情報を入力する処理について説明する。撮影中、映像データ送信装置２ｂにおいて、第１ＴＣスタンプ入力部１８により、ＴＣスタンプ情報が入力される。このＴＣスタンプ情報により、編集対象区間と編集非対象区間とが規定される。この時、ＴＣスタンプ情報が入力される方法としては、カメラマンが図指しないＴＣスタンプ釦を押下することにより入力されてもよい。あるいは、カメラマン以外のスタッフがリモート機器や無線ＬＡＮ等を用いて外部からの指示に基づきＴＣスタンプ情報が入力される構成にしてもよく、その手段は問わない。ＴＣスタンプ情報が入力されると、第１ＴＣスタンプ入力部１８によりその時点で記録された映像フレーム位置にＴＣスタンプ情報が関連付けられる。
【００８０】
図９Ａは、撮影されたデータが編集の対象となるか否かを示す図である。図９Ａにおいて、縦軸のＯＮが編集対象であり、ＯＦＦ状態が編集非対象であることを示し、横時は時刻を示す。時刻ｔｔ２、ｔｔ３、ｔｔ４、ｔｔ５においてＴＣスタンプ情報が入力され、ＴＣスタンプ情報により、編集対象区間と編集非対象区間とが切り替えられている。区間Ｑ１（時刻ｔ１〜時刻ｔｔ２）、区間Ｑ３（時刻ｔｔ３〜ｔｔ４）および区間Ｑ５（時刻ｔｔ５〜ｔ６）が編集非対象区間であり、区間Ｑ２（時刻ｔｔ２〜ｔｔ３）および区間Ｑ４（時刻ｔｔ４〜ｔｔ５）が編集対象区間である。
【００８１】
次に、入力されたＴＣスタンプ情報を用いて、第１編集対象リスト生成部１９により、図９Ｂに示す編集対象リスト３５が生成され、第１記録媒体１４に保存される。編集対象リスト３５は、区間名と、区間開始時刻と、区間終了時刻と、編集対象であるか否かを示す情報が記録されたレコードからなる。区間Ｑ２および区間Ｑ４には、編集対象であることを示すフラグが立てられている。
【００８２】
なお、この例では、撮影中に図指しないＴＣスタンプ釦を押下することによって編集対象リスト３５が生成されたが、撮影中のＴＣスタンプ情報の入力がトリガとなって、編集対象リスト３５が生成されることができれば、その手段は問わない。
【００８３】
撮影が終了すると、送信側制御部１７により、完成した編集対象リスト３５が第１通信部１５から映像データ受信装置３に送信される。映像データ受信装置３において、映像データ送信装置２ｂから伝送されてきた編集対象リスト３５は、第３通信部２１から受信されて、第２記録媒体２３に保存される。この時、編集対象リスト３５の伝送経路は、第１通信部１５および第３通信部２１を経由した経路である必要はなく、第２通信部１６および第４通信部２２を経由した経路であってもよい。
【００８４】
次に、映像データ受信装置３側では、図２に示すステップＳ１０６の処理において、再伝送リスト生成部２６により、第１低レート再伝送リスト３２が作成される。さらに、再伝送リスト生成部２６により、第１低レート再伝送リスト３２に対して編集対象リスト３５が参照されて、図１０Ｂに示す第２低レート再伝送リスト３６が作成される。図１０Ｂは、区間名と、区間開始時刻と、区間終了時刻と、再伝送の要否を示す情報が記録されたレコードからなる。図１０Ａ（ａ）は図９Ａに示す図であり、図１０Ａ（ｂ）は図９Ａに対応付けられた図４Ａを示す図である。
【００８５】
図１０Ａにおいて、編集対象区間であって、データ欠落区間に該当する区間Ｒ２（時刻ｔ２´〜ｔ３´）および区間Ｒ４（時刻ｔ４´〜ｔｔ５）に対応するレコードに対して、図１０Ｂに示すように再伝送要のフラグが付けられている。すなわち、実施の形態１でのステップＳ１１２における第２高レート再伝送リスト３４の作成と同じ要領で、第２低レート再伝送リスト３６が作成される。
【００８６】
次に、受信側制御部２８により、第１低レート再伝送リスト３２に替えて、第２低レート再伝送リスト３６が映像データ送信装置２ｂに送信される。ステップＳ１０７以降の処理については、実施の形態１と同じ要領で行われる。
【００８７】
以上のような手法を用いることにより、実施の形態１の方式に比べ、低レートデータの再伝送データ量を縮小することが可能となり、編集工程のさらなる時間短縮が期待でき、より高速なワークフローが実現可能となる。
【００８８】
（実施の形態３）
実施の形態２では、映像データ送信装置２ｂにおいてＴＣスタンプ情報を入力する方法について説明した。本実施の形態では、映像データ受信装置３においてＴＣスタンプ情報を入力する方法について説明する。
【００８９】
図１１は、本実施の形態に係る映像伝送システム１ｃの構成を示すブロック図である。図８に示す実施の形態２に係る映像伝送システム１ｂにおける第１ＴＣスタンプ入力部１８、第１編集対象リスト生成部１９に替えて、映像データ受信装置３に第２ＴＣスタンプ入力部２９および第２編集対象リスト生成部３０が配置された構成である。本実施の形態に係る映像伝送システム１ｃにおいて、実施の形態２に係る映像伝送システム１ｂと同一の構成要素については、同一の符号を付して説明を省略する。
【００９０】
第２ＴＣスタンプ入力部２９は、映像データ受信装置３ｃに配置されたＴＣスタンプ釦が押下されることにより、ＴＣスタンプ情報を生成するものである。なお、第２ＴＣスタンプ入力部２９は、リモート機器や無線ＬＡＮ等を用いてＴＣスタンプ情報を外部から指示を入力できる構成としてもよく、その手段は問わない。
【００９１】
第２編集対象リスト生成部３０は、ＴＣスタンプ情報を用いて、撮影された高レートデータおよび低レートデータが編集の対象となるか否かを示す編集対象リストを生成する。
【００９２】
以下、本実施の形態に係る映像伝送システム１ｃの動作について説明する。まず、映像データ受信装置３ｃにおいて、撮影中に第２ＴＣスタンプ入力部２９により、ＴＣスタンプ情報が入力される。この時、ＴＣスタンプ情報の入力は、例えば、編集者がモニタ２５に表示された映像を見ながら指示することにより行われるようにすることができる。ＴＣスタンプ情報が入力された時、その時点でモニタ２５に出力されている映像フレーム位置にＴＣスタンプ情報が関連付けられる。
【００９３】
次に、第２ＴＣスタンプ入力部２９により入力されたＴＣスタンプ情報が用いられて、第２編集対象リスト生成部３０により、実施の形態２と同様の手段で図９Ｂに示された編集対象リスト３５が生成され、第２記録媒体２３に保存される。撮影終了後、再伝送リスト生成部２６により、完成した編集対象リスト３５が参照されて、図２に示すステップＳ１０６の処理として、実施の形態２と同様の手段で第２低レート再伝送リスト３６が作成される。その後は、第１低レート再伝送リスト３２に替えて第２低レート再伝送リスト３６が用いられて実施の形態１と同じ要領でステップＳ１０７以降の処理が行われる。
【００９４】
以上のような手法を用いることにより、実施の形態１の方式に比べ、低レートデータの再伝送データ量を縮小することが可能となり、編集工程の時間短縮が期待でき、より高速なワークフローが実現可能となる。
【００９５】
（実施の形態４）
本実施の形態に係る映像伝送システム１の構成は、実施の形態１に係る映像伝送システム１と同じであるが、保存されるデータのファイルの形式、およびファイルを管理するプレイリストを有する点が異なる。
【００９６】
実施の形態１では、ステップＳ１０９またはステップＳ１１５の処理において、再伝送データを保存する際、撮影時に保存された低レートデータまたは高レートデータに対し、再伝送で受信された低レートデータまたは高レートデータをマージする例を示した。しかし、本実施の形態では、それらのデータをマージすることなく、それぞれ別ファイルとして第２記録媒体２３に保存する場合について説明する。
【００９７】
図１２Ａは、本実施の形態に係る映像伝送システム１における第２記録媒体２３に保存されたデータファイルを示す図である。図１２Ｂは、図１２Ａに示したデータファイルを順に再生させるための低レートプレイリストを示す図である。
【００９８】
例えば、低レートデータの保存において、図４Ａに示したようなデータの欠落状況でステップＳ１０４の保存処理が行われると、図１２Ａに示す第１低レートデータファイル４１が作成される。すなわち、第１低レートデータファイル４１は、区間Ｍ１、区間Ｍ３および区間Ｍ５のデータが連続したファイルである。
【００９９】
さらに、図２に示すステップＳ１０９の処理において、映像データ受信装置３に再伝送された区間Ｍ２および区間Ｍ４のデータが、連続した１つのファイル（第２低レートデータファイル４２）として第２記録媒体２３に保存される。つまり、第１低レートデータファイル４１とマージされることなく、独立したファイルとして第２低レートデータファイル４２に保存される。
【０１００】
この時、受信側制御部２８により、撮影された全区間の映像データを再生するための低レートプレイリスト３７が作成され、第２記録媒体２３に保存される。図１２Ｂに示すように、低レートプレイリスト３７は、データが記録されているファイル名と、区間開始時刻と、区間終了時刻とが記録されたレコードからなる。低レートプレイリスト３７により、区間Ｍ１、区間Ｍ２、区間Ｍ３、区間Ｍ４および区間Ｍ５のデータをこの順で連続して画像として表示することができる。したがって、別々のファイルであっても、あたかも１つにマージされたファイルであるかのような画像を再生することができる。
【０１０１】
また、図２に示すステップＳ１１５の処理において、高レートデータが再伝送された時においても同様にして、受信側制御部２８により、再伝送されてくる高レートデータが別ファイルとして第２記録媒体２３に保存され、図指しない高レートプレイリストが作成される。これにより、１つのファイルに変換せずに、あたかも１つにマージされたファイルであるかのように画像を再生することができる。
【０１０２】
以上のように、上述した手法を用いることにより、ステップＳ１０９およびステップＳ１１５の処理において、低レートデータまたは高レートデータのマージ処理が不要となり、映像データ受信装置３での複雑な多重化処理等が不要になる。
【０１０３】
（実施の形態５）
実施の形態１〜４では、１回の収録作業における処理の流れを説明したが、本実施の形態では、収録作業が連続する場合の運用形態について説明する。
【０１０４】
例えば、映像データ送信装置２において、１回目の撮影が終了した直後にすぐに次の撮影（２回目の撮影）が行われる場合、１回目の撮影終了直後に、映像データ送信装置２は、次の撮影動作を開始する。そして、この時、映像データ受信装置３では、図２に示すステップＳ１０６によって、第１高レート再伝送リスト３１および第１低レート再伝送リスト３２が作成される。この第１低レート再伝送リスト３２が、ステップＳ１０７において、受信側制御部２８により、映像データ送信装置２に伝送されようとする。
【０１０５】
しかし、映像データ送信装置２は、次の撮影の開始準備に入っているため、第１低レート再伝送リスト３２を受信することができない状態である。そこで、本実施の形態では、受信側制御部２８により、映像データ送信装置２が新たな撮影が行われているか否かを判断し、撮影が行われている場合には、第１低レート再伝送リスト３２の伝送を中断する。
【０１０６】
したがって、このような場合、映像データ受信装置３では、ステップＳ１０７による第１低レート再伝送リスト３２の伝送は行われず、２回目の撮影における一連の処理、すなわちステップＳ１０４による撮影中の高レートデータおよび低レートデータの保存処理が優先して行われる。
【０１０７】
そして、２回目の撮影処理が完了した時点で、１回目の撮影による第１低レート再伝送リスト３２および２回目の撮影による第１低レート再伝送リスト３２がまとめて映像データ送信装置２に伝送される。
【０１０８】
もし、３回目、４回目の撮影が連続して行われる場合には、同様に第１低レート再伝送リスト３２の伝送は、次回の撮影完了後以降に持ち越される。
【０１０９】
以上のように、上述した手法により、映像データ送信装置２での連続撮影が可能となる。
【０１１０】
なお、上記例では、映像データ送信装置２は、撮影時に第１低レート再伝送リスト３２が受信できない場合を示した。しかし、第１低レート再伝送リスト３２の受信が可能である場合には、映像データ送信装置２が第１低レート再伝送リストを送信するが、映像データ送信装置２からの再伝送は撮影時には行われない構成にすることもできる。
【０１１１】
（実施の形態６）
実施の形態５では、連続して収録作業を行う運用例を示したが、本実施の形態では、連続して撮影を行う上で、撮影の間にインターバル時間がある程度確保できる場合について説明する。
【０１１２】
映像データ送信装置２において、撮影処理が終了すると、図２に示すステップＳ１０７〜Ｓ１０９による一連の低レートデータの再伝送処理が行われる。再伝送処理が完了した後に、映像データ送信装置２において、次の撮影が開始される。
【０１１３】
２回目の撮影中、映像データ受信装置３では、ステップＳ１０４の高／低レートデータ保存処理と、ステップＳ１１０による編集作業が並行して行われる。この時、受信中の高レートデータまたは低レートデータの映像は、モニタ２５に出力されず、編集作業が行いやすいように編集作業に必要な映像が優先してモニタ２５に出力される。ただし、編集作業の過程でモニタリングが不要である場合には、通常の撮影中と同様に、ステップＳ１０５での受信中の高レートデータまたは低レートデータの映像がモニタ２５に出力されてもよい。
【０１１４】
また、２回目の撮影時に、映像データ受信装置３においては、編集処理（ステップＳ１１０）よりも撮影データの保存処理（ステップＳ１０４）の方が優先して行われる。すなわち、例えば撮影データの保存処理（ステップＳ１１０）による負荷が重くなった場合には、編集処理（ステップＳ１１０）を一時的に中断させるようにする。編集処理を一時的に中断させるためには、受信側制御部２８により、例えば図指しない編集系の操作キーを受け付けないようにし、メッセージ出力等によってユーザに通知して編集作業を抑制すればよい。
【０１１５】
なお、２回目の撮影処理のバックグラウンドで１回目の撮影データの編集処理を行っている途中で、２回目の撮影が終了した時には、引き続き１回目の撮影データの編集処理は継続し、バックグラウンドで２回目の撮影による第１低レート再伝送リスト３２の伝送処理（ステップＳ１０７〜Ｓ１０９）を行うようにする。
【０１１６】
以上のように、上述するような手法により、撮影のバックグラウンドで編集作業が可能となり、連続した収録が必要な状況下においても、効率よく作業を行うことが可能となり、収録、編集、オンエアの一連のワークフローの改善が図られる。
【産業上の利用可能性】
【０１１７】
本発明の映像伝送システムは、放送・業務用の伝送システム、特に速報性を有する報道システムにおいて有効である。
【図面の簡単な説明】
【０１１８】
【図１】本発明の実施の形態１に係る映像データ送信装置および映像データ受信装置を有する映像伝送システムの構成を示すブロック図
【図２】実施の形態１に係る映像伝送システムの動作を示す流れ図
【図３Ａ】実施の形態１に係る映像データ受信装置が受信した高レートデータの時間に対する受信時のビットレートを示す図
【図３Ｂ】実施の形態１に係る映像データ受信装置で生成される第１高レート再伝送リスト
【図４Ａ】実施の形態１に係る映像データ受信装置が受信した低レートデータの時間に対する受信時のビットレートを示す図
【図４Ｂ】実施の形態１に係る映像データ受信装置で生成される第１低レート再伝送リスト
【図５】本発明の実施の形態１に係る映像伝送システムの構成を示すブロック図
【図６Ａ】実施の形態１に係る低レートデータが編集された結果を示す図
【図６Ｂ】実施の形態１に係る編集結果を示すプレイリスト
【図７Ａ】図６Ａに対応付けられた図３Ａに対応する受信時のビットレートを示す図
【図７Ｂ】実施の形態１に係る高レートデータに欠落部分があるか否かが示された第２高レート再伝送リスト
【図８】本発明の実施の形態２に係る映像伝送システム１ｂの構成を示すブロック図
【図９Ａ】実施の形態２に係る撮影されたデータが編集の対象となるか否かを示す図
【図９Ｂ】実施の形態２に係る撮影されたデータが編集の対象となるか否かを示す編集対象リスト
【図１０Ａ】図９Ａに対応付けられた図４Ａに対応する受信時のビットレートを示す図
【図１０Ｂ】本実施の形態２に係る低レートデータの再伝送区間を示す第２低レート再伝送リスト
【図１１】本発明の実施の形態３に係る映像伝送システム１ｂの構成を示すブロック図
【図１２Ａ】実施の形態３に係る映像伝送システムにおける第２記録媒体２３に保存されたデータファイルを示す図
【図１２Ｂ】実施の形態３に係るデータファイルを順に再生させるための低レートプレイリストを示す図
【符号の説明】
【０１１９】
１、１ｂ、１ｃ映像伝送システム
２、２ｂ  映像データ送信装置
３、３ｃ  映像データ受信装置
１１  映像データ入力部
１２  第１符号化部
１３  第２符号化部
１４  第１記録媒体
１５  第１通信部
１６  第２通信部
１７  送信側制御部
１８  第１ＴＣスタンプ入力部
１９  第１編集対象リスト生成部
２１  第３通信部
２２  第４通信部
２３  第２記録媒体
２４  復号部
２５  モニタ
２６  再伝送リスト生成部
２７  編集部
２８  受信側制御部
２９  第２ＴＣスタンプ入力部
３０  第２編集対象リスト生成部
３１  第１高レート再伝送リスト
３２  第１低レート再伝送リスト
３３  プレイリスト
３４  第２高レート再伝送リスト
３５  編集対象リスト
３６  第２低レート再伝送リスト
３７  低レートプレイリスト
４１  第１低レートデータファイル
４２  第２低レートデータファイル
【図１】
2010212772.tif 000003
【図２】
2010212772.tif 000004
【図３Ａ】
2010212772.tif 000005
【図３Ｂ】
2010212772.tif 000006
【図４Ａ】
2010212772.tif 000007
【図４Ｂ】
2010212772.tif 000008
【図５】
2010212772.tif 000009
【図６Ａ】
2010212772.tif 000010
【図６Ｂ】
2010212772.tif 000011
【図７Ａ】
2010212772.tif 000012
【図７Ｂ】
2010212772.tif 000013
【図８】
2010212772.tif 000014
【図９Ａ】
2010212772.tif 000015
【図９Ｂ】
2010212772.tif 000016
【図１０Ａ】
2010212772.tif 000017
【図１０Ｂ】
2010212772.tif 000018
【図１１】
2010212772.tif 000019
【図１２Ａ】
2010212772.tif 000020
【図１２Ｂ】
2010212772.tif 000021